(57)【要約】【課題】  遊技機のメダル投入口から不正行為用の器具を挿入したときにメダルセレクタへの到達を困難にし、不正行為を防止する。【解決手段】  逆円錐台状の筒体３と、逆円錐台状の筒体の内面に上方から下方に向けて設けられた螺旋状のメダル用軌道３１と、メダル用軌道に設けられたメダル出口３２とを備える。メダル投入口に投入されメダル用軌道に到達したメダルは、メダル用軌道に従って逆円錐台状の筒体の内面を周回しながらメダル出口に到達し、メダル出口からメダルセレクタへ送り出される。軌道が螺旋状であるためにメダル投入口でのメダル方向と、メダル出口から出るときのメダル方向は大きく変化するため、不正用器具をメダルセレクタへ挿入することは困難になる。【選択図】        図２
2006043008.tif 000002
【特許請求の範囲】
【請求項１】
遊技機のメダル投入口に投入されたメダルをメダルセレクタへ導くメダル通路であって、逆円錐台状の筒体と、前記逆円錐台状の筒体の内面に上方から下方に向けて設けられた螺旋状のメダル用軌道と、前記メダル用軌道に設けられたメダル出口とを備え、前記メダル投入口に投入され前記メダル用軌道に到達したメダルは、前記メダル用軌道に従って前記逆円錐台状の筒体の内面を周回しながら前記メダル出口に到達し、前記メダル出口から外部へ送り出されることを特徴とするメダル通路。
【請求項２】
逆円錐状の筒体の下面に開口部が設けられ、前記メダル出口から外部へ送り出されなかったメダルは、前記開口部を通ってメダル返却口へ返却されることを特徴とする請求項１記載のメダル通路。
【請求項３】
前記メダル用軌道は、前記逆円錐台状の筒体の内面に設けられた溝部であることを特徴とする請求項１又は請求項２記載のメダル通路。
【請求項４】
前記メダル用軌道は、前記逆円錐台状の筒体の内面に設けられた突起部であることを特徴とする請求項１又は請求項２記載のメダル通路。
【請求項５】
前記逆円錐台状の筒体の内面に上方から下方に向けて設けられた螺旋状の副メダル用軌道を備え、前記副メダル用軌道は、前記逆円錐台状の筒体の内面の上方において前記メダル用軌道と離隔し、下方において前記メダル用軌道に合流するように設けられていることを特徴とする請求項１記載のメダル通路。
【請求項６】
前記副メダル用軌道の途中に中間メダル出口を備えることを特徴とする請求項５記載のメダル通路。
【請求項７】
遊技機のメダル投入口に投入されたメダルをメダルセレクタへ導くメダル通路であって、逆円錐台状の筒体と、前記逆円錐台状の筒体の内面に上方から下方に向けて設けられた螺旋状の第１メダル用軌道と、前記逆円錐台状の筒体の内面に上方から下方に向けて前記第１メダル用軌道と離隔して設けられた螺旋状の第２メダル用通路と、前記第１メダル用軌道に設けられた第１メダル出口と、前記第２メダル用軌道に設けられた第２メダル出口とを備え、前記メダル投入口に投入されたメダルは、前記第１メダル用軌道又は前記第２メダル用軌道のいずれかに到達し、当該メダル用軌道に沿って前記逆円錐台状の筒体の内面を周回しながら前記第１メダル出口又は前記第２メダル出口のいずれかに到達し、当該メダル出口から外部へ送り出されることを特徴とするメダル通路。
【請求項８】
前記メダル投入口から投入されたメダルを前記逆円錐台状の筒体の内面に導くメダル導入部を備えることを特徴とする請求項１乃至請求項７いずれかに記載のメダル通路。
【請求項９】
メダル投入口と、逆円錐台状の筒体、前記逆円錐台状の筒体の内面に上方から下方に向けて設けられた螺旋状のメダル用軌道、及び、前記メダル用軌道に設けられたメダル出口を含むメダル通路と、前記メダル投入口から投入されたメダルを前記逆円錐台状の筒体の内面に導くメダル導入部と、前記メダル通路のメダル出口からメダルを受けてこれを選別して排出するメダルセレクタとを備える遊技機であって、前記メダル投入口に投入され前記メダル用軌道に到達したメダルは、前記メダル用軌道に従って前記逆円錐台状の筒体の内面を周回しながら前記メダル出口に到達し、前記メダル出口から外部へ送り出されることを特徴とする遊技機。
【発明の詳細な説明】
【技術分野】
【０００１】
本発明は、メダルを遊技媒体として用いる遊技機用のメダル通路及びこれを備える遊技機に関し、特に、不正行為の実行を困難にしたものに関する。
【背景技術】
【０００２】
スロットマシン等の遊技機は、遊技者が所定の枚数のメダルを遊技機に投入してゲームを楽しむことができる。遊技に必要なメダルは、遊技ホール内に設けられたメダル貸機等で借りることができ、所望の遊技機のメダル投入口に投入することによりゲームを開始することができる。遊技機は、投入されたメダルを判別するとともに、その枚数を計数するためのメダルセレクタを備えている。
【０００３】
この種のメダルセレクタは、メダル投入口から投入されたメダルが転動する、下り傾斜したメダル通路を備えている。メダル通路の出口近傍には、メダルを計数するためのセンサ（例えばフォトインタラプタ：発光素子と受光素子が所定の間隔をあけて対向して設けられたもの。これらの間をメダルが通過すると光が遮られるのでこれを検出してメダルの枚数を数える）が設けられ、ここで投入されたメダルの枚数が計数される。現在の遊技機のメダルセレクタには２つのセンサが設けられていて、メダルの検知は２つのセンサの検出順序により行われている。投入されたメダルが所定枚数に達するとゲームを開始することができる。追加で投入されたメダルはクレジットとして扱われる。
【０００４】
図９はスロットマシンが備える従来のメダルセレクタの斜視図である。図９において、１はメダルセレクタ、１１はこれに設けられたメダルセレクタメダル通路、１２はメダルセレクタ１のメダル出口、Ｓ１及びＳ２はメダルセレクタメダルセレクタメダル通路１１に設けられたフォトインタラプタ（メダル検出のためのセンサ）である。なお、Ｍは投入されたメダルを示す。メダルセレクタメダル通路１１の上部はメダル投入口（図１の符号１３２参照）に連通している。メダルセレクタ１の上部から投入されたメダルＭは、メダルセレクタメダル通路１１に沿って落下し、途中で進行方向を斜め横に変えられ、メダル出口１２から排出される。なお、大きさが異なる非正規のメダルはメダル通路の途中で落下し、メダル返却口に戻る。
【０００５】
メダル出口１２の近傍には２つのメダルセンサＳ１，Ｓ２がメダルの進行方向に沿って並んで設けられている。前述のように非正規のメダルは途中で落下したり、鉄製の不正メダルは図示しない磁石に吸着されて途中で阻止されるが、阻止されずに送られてきたメダルの通過がセンサＳ１，Ｓ２により検出される。Ｓ１，Ｓ２を２つ隣接させて設けているので、メダルの通過速度や通過方向を検出することができ、これらに基づきメダル枚数だけでなく、メダルの逆流や不正行為を検出することができる。また、メダルセンサＳ１，Ｓ２をメダル入り口（メダル投入口）から遠い側に設けることにより、不正行為をやりにくくしている。
【発明の開示】
【発明が解決しようとする課題】
【０００６】
遊技者のごく一部に不正行為（いわゆるゴト行為）を行う者がいた。例えば、メダル投入口から異物を挿入し、センサを誤動作させて正規のメダルを投入することなくゲームを行おうとする者がいた。実際には、棒状の異物で２つのセンサＳ１とＳ２の間を往復することによって、実際にメダルを入れているかのように誤認させる方法が採られているようである。従来のメダルセレクタでは、メダル通路に不正行為の器具を挿入することが可能であった。
【０００７】
本発明は、メダル投入口から不正行為用の器具の挿入を困難にするとともに、当該器具の利用を困難にすることができ、不正行為を効果的に防止することのできるメダル通路及びこれを用いた遊技機を提供することを目的とする。
【課題を解決するための手段】
【０００８】
この発明は、遊技機のメダル投入口に投入されたメダルをメダルセレクタへ導くメダル通路であって、逆円錐台状の筒体と、前記逆円錐台状の筒体の内面に上方から下方に向けて設けられた螺旋状のメダル用軌道と、前記メダル用軌道に設けられたメダル出口とを備え、前記メダル投入口に投入され前記メダル用軌道に到達したメダルは、前記メダル用軌道に従って前記逆円錐台状の筒体の内面を周回しながら前記メダル出口に到達し、前記メダル出口から外部へ送り出されることを特徴とするものである。
【０００９】
本発明によれば、メダル投入口から投入されたメダルを逆円錐台状の筒体内に導き、その内面に沿って遠心力を発生させるように走らせることにより、筐体の投入口より離れた位置にあるメダル出口から送り出すことができる。メダル投入口におけるメダル方向と、メダル出口から出るときのメダル方向はかなり変化しているとともにそれらの間隔も離隔するため、不正用器具をメダルセレクタにまで挿入することは困難になる。
【００１０】
逆円錐状の筒体の下面に開口部が設けられ、前記メダル出口から外部へ送り出されなかったメダルは、前記開口部を通ってメダル返却口へ返却されるように構成してもよい。例えば、前記開口部はメダル返却口の上方に位置するように配置される。この配置において、前記メダル出口から外部へ送り出されなかったメダルは、前記逆円錐台状の筒体の内面を滑り落ちて前記開口部から前記逆円錐台状の筒体の外部に出る。前記メダル返却口（または前記メダル返却口に連通するメダル通路）は前記開口部から落下したメダルを受け止める。あるいは、前記開口部にメダル返却口に連通するメダル通路を接続するようにしてもよい。
【００１１】
前記メダル用軌道は、例えば、前記逆円錐台状の筒体の内面に設けられた溝部である。
【００１２】
前記メダル用軌道は、例えば、前記逆円錐台状の筒体の内面に設けられた突起部である。
【００１３】
前記逆円錐台状の筒体の内面に上方から下方に向けて設けられた螺旋状の副メダル用軌道をさらに備え、前記副メダル用軌道を、前記逆円錐台状の筒体の内面の上方において前記メダル用軌道と離隔し、下方において前記メダル用軌道に合流するように設けてもよい。
【００１４】
前記副メダル用軌道の途中に中間メダル出口を設けてもよい。
【００１５】
本発明は、遊技機のメダル投入口に投入されたメダルをメダルセレクタへ導くメダル通路であって、逆円錐台状の筒体と、前記逆円錐台状の筒体の内面に上方から下方に向けて設けられた螺旋状の第１メダル用軌道と、前記逆円錐台状の筒体の内面に上方から下方に向けて前記第１メダル用軌道と離隔して設けられた螺旋状の第２メダル用通路と、前記第１メダル用軌道に設けられた第１メダル出口と、前記第２メダル用軌道に設けられた第２メダル出口とを備え、前記メダル投入口に投入されたメダルは、前記第１メダル用軌道又は前記第２メダル用軌道のいずれかに到達し、当該メダル用軌道に沿って前記逆円錐台状の筒体の内面を周回しながら前記第１メダル出口又は前記第２メダル出口のいずれかに到達し、当該メダル出口から外部へ送り出されることを特徴とするものである。
【００１６】
前記メダル投入口から投入されたメダルを前記逆円錐台状の筒体の内面に導くメダル導入部を備えてもよい。
【００１７】
この発明に係る遊技機は、メダル投入口と、逆円錐台状の筒体、前記逆円錐台状の筒体の内面に上方から下方に向けて設けられた螺旋状のメダル用軌道、及び、前記メダル用軌道に設けられたメダル出口を含むメダル通路と、前記メダル投入口から投入されたメダルを前記逆円錐台状の筒体の内面に導くメダル導入部と、前記メダル通路のメダル出口からメダルを受けてこれを選別して排出するメダルセレクタとを備え、前記メダル投入口に投入され前記メダル用軌道に到達したメダルは、前記メダル用軌道に従って前記逆円錐台状の筒体の内面を周回しながら前記メダル出口に到達し、前記メダル出口から外部へ送り出されることを特徴とするものである。
【発明の効果】
【００１８】
本発明によれば、逆円錐台状の筒体の内面にメダル用軌道を設け、投入されたメダルを前記メダル用軌道に従って遠心力を発生させるように走らせるようにしたので、メダル投入口におけるメダル方向とメダルセレクタに入るときのメダル方向を大きく異ならせることができる。たとえコイン投入口から不正用器具を挿入したとしてもメダルセレクタにまで挿入することは困難になるので、不正行為を効果的に防止することができる。
【発明を実施するための最良の形態】
【００１９】
発明の実施の形態１．
この発明の実施の形態に係るメダルセレクタ及びこれを備える遊技機（スロットマシン）について図面を参照して説明する。
【００２０】
図１は前扉を閉めた状態を示すスロットマシンの正面図を示す。
図２において、１００はスロットマシンを示す。このスロットマシン１００は、スロットマシン本体１２０と、このスロットマシン本体１２０の前面片側にヒンジ等により開閉可能に取り付けられた前扉１３０とを備えている。前記前扉１３０の前面には、ほぼ中央にゲーム表示部１３１を設け、ゲーム表示部１３１の右下隅部に、遊技者がメダルを投入するためのメダル投入口１３２を設け、メダル投入口１３２の下側には、メダル投入口１３２から投入され、詰まってしまったメダルをスロットマシン１００外に強制的に排出するためのリジェクトボタン１３３が設けられている。前記ゲーム表示部１３１の左下方には、ゲームを開始するためのスタートボタン１３４を設けてあり、前扉の下端部中央には、メダルの払出し口１３５を設けてある。
【００２１】
スロットマシン本体１２０の内部（前扉１３０の内側）には、メダルセレクタ１、メダル導入部２、逆円錐台状の筒体３、導出路１３６ａ及び１３６ｂが設けられている。図１においてこれらは点線で示されている。なお、図１はメダルセレクタ１等の構成要素の位置関係の概要を示す一例である。
【００２２】
メダルセレクタ１は、投入されたメダルを判別するとともにその枚数を計数するためのものである。メダル導入部２は、メダル投入口１３２に投入されたメダルを逆円錐台状の筒体３に導くものである。逆円錐台状の筒体３は、その内部に螺旋状のメダル用軌道を備え（図２の符号３１参照）、導かれたメダルを当該軌道に沿って転動させ、その終端に設けられたメダル出口（図２の符号３２参照）から外部へ送り出すものである。メダル用軌道が螺旋をなしていることから、メダル投入口１３２から不正行為用の器具を挿入したとしてもそれをメダル出口に到達させることは非常に困難であり、したがってその先に設けられているメダルセレクタ１で不正行為を実行することを実施的に不可能にしている。逆円錐台状の筒体３のメダル出口の先にはメダルセレクタ１が設けられている。
【００２３】
メダル投入口１３２に投入されたメダルは、メダル導入部２→逆円錐台状の筒体３のメダル用軌道→逆円錐台状の筒体３のメダル出口→メダルセレクタ１の順に通過していく。メダル導入部２から導かれたメダルのうち、逆円錐台状の筒体３のメダル用軌道に達しなかったもの、メダル用軌道を転動中にバランスを崩して落下したもの、規格外のメダルであるためにメダル用軌道を転動できなかったものは、逆円錐台状の筒体３の内部を落下し、その下端に接続されたメダル導出路１３６ａを通ってメダル払出し口に戻される。なお、規格外のメダルでメダルセレクタ１で排除されたものはメダル導出路１３６ｂを通ってメダル払出し口に戻される。
【００２４】
スロットマシンで遊技を楽しもうとする遊技者は、まずメダル貸機（図示しない）等から遊技媒体であるメダルを借り、メダル投入口１３２に直接メダルを入れる。スロットマシン本体１２０の中央部には、遊技者側に向かって臨む四角窓状のゲーム表示部１３１が形成されている。ここで、三個の回転リールの図柄を見ることができる。スタートスイッチ１３４は回転リールの斜め下方に位置するレバーであって、遊技メダルの投入を条件に、図示しないリールユニットの駆動を開始させる。リールユニットは、ストップスイッチ１４０によりその駆動が停止される。図示しないリールユニットは、三個の回転リールから構成され、各回転リールは、合成樹脂からなる回転ドラムと、この回転ドラムの周囲に貼付されるテープ状のリールテープとを備えている。このリールテープの外周面には、複数個（例えば２１個）の図柄が表示されている。
【００２５】
本発明の実施の形態に係るメダル導入部２と逆円錐台状の筒体３の概要（斜視図）を図２に示す。逆円錐台状の筒体３は、メダル投入口１３２に投入されたメダルＭをメダルセレクタ１へ導くためのメダル通路の主要部を構成する。
【００２６】
逆円錐台状の筒体３は、逆円錐台状の筒体３の内面に上方から下方に沿って設けられた螺旋状のメダル用軌道３１と、メダル用軌道３１の下端に設けられたメダル出口３２とを備えるものである。逆円錐台状の筒体３は、その上部にメダル導入部２が設けられ、投入されたメダルＭを受ける。メダル用軌道３１の上端（入り口部分）にメダルを導くようにメダル導入部２を設けているのでほぼ確実にメダルＭはメダル用軌道３１に到達する。万一、メダル用軌道３１の上端から外れるメダルがあったとしても、メダル用軌道３１は逆円錐台状の筒体３の内面（円周）に沿って螺旋を描いているので、当該メダルは、逆円錐台状の筒体３の内面を滑り落ちる間にメダル用軌道３１と交差することになり、その際にメダル用軌道３１に載るようになる。メダル投入口１３２に投入されメダル用軌道３１に到達したメダルは、メダル用軌道３１に沿って転動し、逆円錐台状の筒体３の内面を周回しながらメダル出口３２に到達し、メダル出口３２から外部へ送り出される。メダル導入部２内をメダルＭが落下するので、その出口においてメダルＭは勢いがついており、その状態でメダル用軌道３１に到達すると転動することになる。そのときの遠心力によりメダルＭは逆円錐台状の筒体３の内面に押し付けられ、内面を滑って落下することなく、メダル用軌道３１に沿って移動していく。メダル用軌道３１の螺旋の状態は、メダルの重さと遠心力の大きさの関係がバランスするように設定されている。メダルの大きさや重さが異なる場合、それぞれのメダルに最適なメダル用軌道３１を複数設けることが好ましい。
【００２７】
なお、円錐台とは、円錐を底面に平行な平面で切り、頂点を含む部分を除いた立体のことである。通常の意味における円錐台の上面の直径は下面（底面）の直径よりも小さいが、本発明において通常の場合と上下逆になっていることから、これを逆円錐台と呼ぶことにする。
【００２８】
逆円錐台状の筒体３を主要部とするメダル通路を使用すると、メダル投入口１３２とメダル出口３２の位置関係が高さ及び向きの点で大きな違いを持つようになり、したがって不正行為用の器具をメダル出口３２に到達させることができない、という作用効果を奏することになる。好適には高さの差は大きい程よく、向きの違いは９０度以上あるとよい。メダル投入口１３２とメダル出口３２が高さ及び向きの点で大きく異なるのは、メダル用軌道３１を螺旋状に構成しているためである。
【００２９】
逆円錐状の筒体３の下面に開口部が設けられ、この開口部は導出路１３６ａによりメダル返却口１３５に連通している。何らかの理由でメダル出口３２から外部へ送り出されなかったメダルは、前記開口部を通ってメダル返却口１３５から返却される。すなわち、何らかの理由でメダル出口３２から外部へ送り出されなかったメダルは、逆円錐台状の筒体３の内面を滑り落ちて開口部から逆円錐台状の筒体３の外部に出る。当該メダルは導出路１３６ａによりメダル返却口１３５へ導かれる。導出路１３６ａを設ける代わりに、開口部をメダル返却口１３５の上方（またはメダル返却口１３５に連通する図示しないメダル通路の上方）に位置するように配置してもよい。この配置において、メダル返却口１３５（またはメダル返却口１３５に連通する図示しないメダル通路）は開口部から落下したメダルを受け止める。
【００３０】
図３に本発明の実施の形態１に用いるメダルセレクタ１の斜視図を示す。図３において、１はメダルセレクタ、１１はこれに設けられたメダル通路、１２はメダルセレクタ１のメダル出口、Ｓ１及びＳ２はメダルセレクタメダル通路１１に設けられたフォトインタラプタ（メダル検出のためのセンサ）である。メダルセレクタ１の左側から進入したメダルＭは、メダルセレクタメダル通路１１に沿って移動し、メダル出口１２から排出される。なお、大きさが異なる非正規のメダルはメダル通路の途中で落下し、メダル返却口に戻る。
【００３１】
メダル出口１２の近傍には２つのメダルセンサＳ１，Ｓ２がメダルの進行方向に沿って設けられている。これらはメダルの枚数を計数するためのものである。メダルセンサＳ１、Ｓ２は、例えば、互いに対向した発光部と受光部とを有して断面コ字状に形成され、その検出光軸をメダルセレクタメダル通路１１内に上方から臨ませて位置するフォトインタラプタである。断面はコの字状でなくてもよいし、受光部だけを設けてもよい。各フォトインタラプタにより、途中で阻止されずに送られてきたメダルの通過が検出される。なお、フォトインタラプタを２つ隣接させたのは、メダル枚数を検出するだけでなく、メダルの通過が正常か否かを監視するためである。すなわち、フォトインタラプタを２つ隣接させて設けることにより、メダルの通過速度や通過方向を検出することができ、これによりメダル枚数だけでなく、逆方向に移動する不正行為を感知することができる。また、メダルセンサＳ１，Ｓ２をメダル入り口から遠い側に設けることにより、不正行為をやりにくくしている。
【００３２】
図３のメダルセレクタ１は、主要な点で従来のメダルセレクタ（図９参照）と同じであるが、メダルセレクタメダル通路１１に湾曲部を備えず、ほぼ直線状である点で相違する。メダルセレクタ１におけるメダルの入り口と出口１２の間は直線状の通路をなす。不正行為用の器具を挿入しにくくするという作用はメダル用軌道３１で実現されているので、従来の湾曲部は不要である。図３のメダルセレクタ１は、逆円錐台状の筒体３のメダル出口３２から受けたメダルをフォトインタラプタＳ１，Ｓ２で検出した後、メダル出口１２から図示しないホッパータンクへ送り出す。なお、メダルセレクタ１の取り付けに関して、メダル出口３２の向きに合わせることが好ましく、例えば斜めにしてもよい。メダル用軌道３１においてメダルＭが転動する際の向きに合わせてメダル出口３２の向きが設定されている。
【００３３】
図４（ａ）に逆円錐台状の筒体３の断面図を示す。同図中で符号３１がメダル用軌道を示すが、同図はメダル用軌道３１を逆円錐台状の筒体３の内面に設けられた溝部とした例を示す。図４（ｂ）はメダル用軌道３１の拡大図を示す。溝部３１にメダルＭの側面が接触し、この面をメダルＭが転動していく。
【００３４】
図５（ａ）も逆円錐台状の筒体３の断面図を示すが、同図はメダル用軌道３１を逆円錐台状の筒体３の内面に設けられた突起部とした例を示す。図５（ｂ）はメダル用軌道３１の拡大図を示す。突起部３１にメダルＭの側面が接触し、この面をメダルＭが転動していく。
【００３５】
本発明の実施の形態１によれば、メダル投入口から投入されたメダルを逆円錐台状の筒体３内に導き、その内面に沿って遠心力を発生させるように走らせることにより、筐体の投入口より離れた位置にあるメダルセレクタに投入させることができる。メダル投入口におけるメダル方向と、メダルセレクタに入るときのメダル方向はかなり変化しているとともにそれらの間隔も離隔するため、例えメダル投入口から不正用器具を挿入したとしても、メダルセレクタにまで挿入することは困難になる。したがって、本発明の実施の形態１の装置により不正行為を効果的に防止することが可能になるのである。
【００３６】
発明の実施の形態１の変形例１．
メダルを確実にメダル出口３２から送り出すためには、メダルを逆円錐台状の筒体３の内面に沿って遠心力を発生させるように走らせるように調整する必要がある。例えば、メダルの大きさ（重量）に合わせてメダルの導入のやり方を変える必要がある。同様に、メダルの大きさ（重量）に合わせて軌道（逆円錐台状の筒体の直径、その斜面の傾斜、螺旋の傾きなど）を調整する必要がある。そのため、複数種類のメダルに対応するためには、その種類ごとに逆円錐台状の筒体３を用意する必要があるが、製造上の便宜を考えると１つの逆円錐台状の筒体３で複数種類のメダルに対応できることが好ましい。
【００３７】
図６は１つの逆円錐台状の筒体３で複数種類のメダルに対応できるようにした例を示す。ひとつの筒体３に、メダルの種類に対応して複数の軌道（第１メダル用軌道３１ａと第２メダル用軌道３１ｂ）を予め形成しておき、使用の際にいずれかを選択する。どの軌道を使用するかはメダル導入部２と軌道３の位置関係で決まり、具体的には筒体を回転して調整することにより、メダル導入部から出たメダルをどの軌道上を転がすか選択できる。第１メダル用軌道３１ａと第２メダル用軌道３１ｂはいわゆる二重螺旋をなしている。
【００３８】
第１メダル用軌道３１ａと第２メダル用軌道３１ｂの終端には、ぞれぞれ第１メダル出口３２ａと第２メダル出口３２ｂが設けられている。それぞれの大きさはメダルの種類（例えば直径２５ｍｍと３０ｍｍ）に応じて設定されている。
【００３９】
発明の実施の形態１の変形例２．
図７も１つの逆円錐台状の筒体３で複数種類のメダルに対応できるようにした例を示す。図７の例では、逆円錐台状の筒体３の内面の上方から下方に、図２のメダル用軌道３１と離隔して設けられた螺旋状の副メダル用軌道３１ｃを備える。副メダル用軌道３１ｃはメダル用軌道３１に途中で合流している。図７の例でも、筒体３を回転して調整することにより、メダル導入部２から出たメダルをどの軌道上を転がすか選択できる。図７の例ではメダル出口３２は共通であるが、副メダル用軌道３１ｃの途中に副メダル出口３２ｃを追加するようにしてもよい。
【００４０】
発明の実施の形態２．
発明の実施の形態２に係る装置を図８に示す。図８は、逆円錐台状の筒体３にセレクタとしての機能を設けることにより、図３のセレクタ１を不要としたものである。メダル出口３２から出たメダルは、図示しないメダルホッパーに落下し、そこで貯留される。
【００４１】
メダルセレクタとして機能させるために、逆円錐台状の筒体３のメダル用軌道３１の任意の場所（図８の例ではその終端近く）にメダル検出用センサＳ１及びＳ２を設ける。センサＳ１及びＳ２は従来のメダルセレクタに設けられているものと同じものである。
【００４２】
センサＳ１及びＳ２を設けることにより、図８の装置はメダルセレクタとして機能するが、さらに好ましくは逆円錐台状の筒体３の内部に磁石３３を設けるとよい。磁石３３により鉄製の模造メダルはバランスを崩し、メダル用軌道３１を外れて落下し、払出口１３５へ戻されることになる。
【００４３】
本発明は、以上の実施の形態に限定されることなく、特許請求の範囲に記載された発明の範囲内で、種々の変更が可能であり、それらも本発明の範囲内に包含されるものであることは言うまでもない。
【図面の簡単な説明】
【００４４】
【図１】発明の実施の形態１に係る遊技機の正面図である。
【図２】発明の実施の形態１に係るメダル通路の斜視図である。
【図３】発明の実施の形態１に係るメダルセレクタの斜視図である。
【図４】発明の実施の形態１に係る逆円錐台状の筒体の断面図の例を示す。
【図５】発明の実施の形態１に係る逆円錐台状の筒体の断面図の他の例を示す。
【図６】発明の実施の形態１に係るメダル通路の変形例１の斜視図である。
【図７】発明の実施の形態１に係るメダル通路の変形例２の斜視図である。
【図８】発明の実施の形態２に係るメダルセレクタの斜視図である。
【図９】従来のメダルセレクタの斜視図である。
【符号の説明】
【００４５】
１    メダルセレクタ
２    メダル導入部
３    逆円錐台状の筒体
１１    メダルセレクタメダル通路
１２    メダル出口
３１    メダル用軌道
３１ａ  第１メダル用軌道
３１ｂ  第２メダル用軌道
３１ｃ  副メダル用軌道
３２    メダル出口
３２ａ  第１メダル出口
３２ｂ  第２メダル出口
３２ｃ  副メダル出口
３３    磁石
１００    スロットマシン
１２０    スロットマシン本体
１３０    前扉
１３１    ゲーム表示部
１３２    メダル投入口
１３３    リジェクトボタン
１３４    スタートボタン
１３５    払出し口
１３６ａ，１３６ｂ    導出路
１４０    ストップボタン
Ｍ    メダル
Ｓ１，Ｓ２    フォトインタラプタ（メダル検出用センサ）
【図１】
2006043008.tif 000003
【図２】
2006043008.tif 000004
【図３】
2006043008.tif 000005
【図４】
2006043008.tif 000006
【図５】
2006043008.tif 000007
【図６】
2006043008.tif 000008
【図７】
2006043008.tif 000009
【図８】
2006043008.tif 000010
【図９】
2006043008.tif 000011